(57)【要約】【課題】本発明は装飾用棒状体、およびその製造方法に関し、例えばネックレス、ブレスレッド、髪飾り等の装身具、ハンドバッグの把手、ベルト等の身回品、キャミソールや女性用下着のストラップとして使用され、宝石、人造宝石、ビーズ等の粒状装飾体よりなる所望複数列の装飾帯状体を捻回して粒状ホットメルト接着剤により接着、固定し、棒状の捻回状態に保形し、デザイン的に変化をもたせ、装飾性を高めるものである。【解決手段】宝石、人造宝石２Ａ、ビーズ、貴金属ボール、及び金属ボールから選ばれる多数の粒状装飾体２と、該粒状装飾体を複数列に配列して相互に連結する連結手段３と、前記粒状装飾体に対応する連結手段の裏面に設けた多数の粒状ホットメルト接着剤４とからなる装飾帯状体１で構成される装飾棒状体であり、装飾帯状体１が外周側に粒状装飾体２を露呈するように捲回された状態で粒状ホットメルト接着剤によって接着、固定される。【選択図】図１
2006181151.tif 000002
【特許請求の範囲】
【請求項１】
宝石、人造宝石、ビーズ、貴金属ボール、及び金属ボールから選ばれる多数の粒状装飾体と、該粒状装飾体を複数列に配列して相互に連結する連結手段と、前記粒状装飾体に対応するように該連結手段の裏面にそれぞれ設けられた多数の粒状ホットメルト接着剤とからなる装飾帯状体で構成される装飾棒状体であって、前記装飾帯状体が外周側に粒状装飾体を露呈するように捲回された状態で前記粒状ホットメルト接着剤によって接着、固定されていることを特徴とする装飾棒状体。
【請求項２】
前記連結手段が、前記粒状装飾体の取付個所に適合する内面形状をなす取付部の一側に平面略十字状または平面Ｙ字状にループ腕部を設けた取付金具と、前記ループ腕部内に挿通されることにより前記取付金具に取付けられた粒状装飾体を平面的に１まとめに束ねる連結環とにより前記粒状装飾体を平面所望複数列に連結することを特徴とする請求項１に記載の装飾用棒状体。
【請求項３】
前記装飾帯状体が、線状の補強部材を中心に前記粒状ホットメルト接着層を介して１まとめに捻回されて接着、固定されることを特徴とする請求項１に記載の装飾用棒状体。
【請求項４】
宝石、人造宝石、ビーズ、貴金属ボール、及び金属ボールから選ばれる粒状装飾体を連結手段により複数列に配列して相互に連結した装飾帯状体を長さ方向に移動する工程と、移動する装飾帯状体の裏面側に粒状ホットメルト接着剤を塗布する工程と、その後所望複数列の前記装飾帯状体を外周側に露呈するように捻回する工程と、加熱手段により前記粒状ホットメルト接着剤を加熱、融解することにより該粒状ホットメルト接着剤を介して前記装飾帯状体を１まとめに接着、固定して捻回状態に棒状に保形することを特徴とする装飾用棒状体の製造方法。
【請求項５】
前記加熱手段が、ドライヤー、またはヒーターであることを特徴とする請求項４に記載の装飾用棒状体の製造方法。
【発明の詳細な説明】
【技術分野】
【０００１】
本発明は装飾用棒状体、およびその製造方法に関し、例えばネックレス、ブレスレッド、髪飾り等の装身具、ハンドバッグの把手、ベルト等の身回品、さらにはキャミソールや女性用下着のストラップに最適に使用され、宝石、人造宝石、ビーズ等の粒状装飾体よりなる所望複数列の装飾帯状体を捻回してホットメルト接着剤を介して接着、固定することにより捻回状態に棒状に保形し、デザイン的に変化をもたせて装飾性を高めるものである。
【背景技術】
【０００２】
従来、例えば首飾りとして人造真珠、硝子玉よりなる装飾体を連結するのに、通し糸にビニールを浸透させて補強した被覆糸を用いることにより、この被覆糸を装飾体に挿通した数本の連珠を撚合わすことによりビニールの被覆糸を強撚させて復元性による引締力を発揮させるようにして連珠を撚縄状の形態に保持し、装飾性を発揮するようにした連珠首飾があった（例えば特許文献１参照。）。
【０００３】
また、他の従来例として装飾体としての貴金属製のボールチェーンよりなる貴金属製ネットの帯体を紐状または数珠状の内容物の外周に外周長さ方向に捲回する。そして、該帯体の帯体縁の貴金属製ボールチェーン同士を溶接することにより貴金属製ネットの筒体を形成して内容物をくるんでデザイン的に変化をもたせて装飾性を高めた装身具があった（例えば特許文献２参照。）。
【特許文献１】実開昭２９−１０９８５号公報
【特許文献２】特開２００２−３６０３２０号公報
【発明の開示】
【発明が解決しようとする課題】
【０００４】
しかしながら上記特許文献１に記載の考案は、例えば人造真珠、硝子玉よりなる装飾体に、ビニールを通し糸に浸透させた被覆糸を挿通して数本の連珠を撚合わすことにより被覆糸を強撚させてビニールの復元性による引締力により連珠を撚縄状の形態に保持させようとするものである。従って、撚縄状に捻回した数本の連珠相互の固定が不充分であため、ビニールの復元性による引締力に抗して反対方向の何らかの外力が首飾りに加わると、複数の連珠は撚縄状の形態を維持できずにばらばらに分離してしまい、多重連構造としての統一性のある装飾性が低下して損なわれる。しかも、前記被覆糸に前述のようにビニールの復元性とは反対方向に強い外力が一端加わると、再びビニールの復元性は元通りには復元するのが困難になるので、ビニールの被覆糸は再び復元性による引締力を充分に発揮しなくなるため、複数の連珠は元通りには撚縄状の形態を維持しなくなり、連珠はデザイン的に不自然なだらしのない格好になる。
【０００５】
また、上記特許文献２に記載の発明は、装飾体として貴金属製のボールチェーンよりなる貴金属製ネットの帯体を紐状または数珠状の内容物の外周に外周長さ方向に捲回し、その帯体縁の貴金属製ボールチェーン同士を溶接することにより内容物をくるむ貴金属製ネットの筒体を形成するものなので、帯体縁の貴金属製ボールチェーン同士を溶接するのに、多くの時間と手間がかかる。しかも、ボールチェン同士を溶接するのには手作業による緻密な作業であることが多く、熟練した技術が必要になるので、製作は容易には行えず、生産効率が低かった。
【０００６】
また、上記特許文献２に記載の発明は、紐状または数珠状の内容物の外周に貴金属製ボールチェーンよりなる貴金属製ネットの帯体が外周長さ方向に捲回されるものであり、中心には例えばアメジスト、水晶、トルマリン、オニキス等の宝石の原石を糸で数珠繋ぎにしたり、金合金、プラチナ合金、白金、銀等の貴金属の塊を数珠繋ぎにしたり、紐状に形成される内容物を必要にするものなので、ネックレスやブレスレッドの装身具の出来上がりの太さはかなり、太くなり、重量は増大する。そのうえ、内容物の外周長さ方向に帯体を捲回したり、または帯体を捲回することにより形成される筒体内に内容物を挿入する等の作業工程が必要になるので、製作は容易には行えず、生産効率が低くなり、製作コストは高価であった。
【０００７】
しかも、上記特許文献２に記載の発明は、装飾体としての貴金属製のボールチェーンよりなる貴金属製ネットの帯体における帯体縁の貴金属製ボールチェーン同士を溶接することにより内容物をくるむものなので、装飾体が貴金属ボール、金属ボールにより形成されて溶接を行う装身具の製作を行うことは可能であるが、溶接が行えないそれ以外の材料よりなる装飾体、例えば宝石、人造宝石、ビーズ等を用いた装飾体により筒体を形成することを意図するものではなかった。
【０００８】
本発明は上記従来の考案および発明の問題点を解決し、捻回して１まとめにされる装飾体よりなる複数列の装飾帯状体に何らの強い外力が働いた場合に、装飾帯状体が分離することなく、捻回状態を維持して構造堅牢に保形性を発揮し、以て粒状装飾体が統一性のある多重連構造の豪華な装飾性を確実に発揮し、また、短時間に手間がかからずに製作および組付が容易であり、生産効率が高く、しかも、粒状装飾体が貴金属や金属以外の宝石、人造宝石、ビーズ等の非金属材料により形成する場合にも製作および組付が行え、適用範囲が広く、また、製品の出来上がり太さは、比較的細いものから太いものまで製作が可能であり、重量は軽量になり、さらには製作コストが安価になる装飾用棒状体、およびその製造方法を提供することを目的とする。
【課題を解決するための手段】
【０００９】
本発明の請求項１に記載の発明は、宝石、人造宝石、ビーズ、貴金属ボール、及び金属ボールから選ばれる多数の粒状装飾体と、該粒状装飾体を複数列に配列して相互に連結する連結手段と、前記粒状装飾体に対応するように該連結手段の裏面にそれぞれ設けられた多数の粒状ホットメルト接着剤とからなる装飾帯状体で構成される装飾棒状体であって、前記装飾帯状体が外周側に粒状装飾体を露呈するように捲回された状態で前記粒状ホットメルト接着剤によって接着、固定されていることを特徴とする。
【００１０】
また、本発明の請求項２に記載の発明は、請求項１に記載の発明において、前記連結手段が、前記粒状装飾体の取付個所に適合する内面形状をなす取付部の一側に平面略十字状または平面Ｙ字状にループ腕部を設けた取付金具と、前記ループ腕部内に挿通されることにより前記取付金具に取付けられた粒状装飾体を平面的に１まとめに束ねる連結環とにより前記粒状装飾体を平面所望複数列に連結することを特徴とする。
【００１１】
また、本発明の請求項３に記載の発明は、請求項１に記載の発明において、前記装飾帯状体が、線状の補強部材を中心に前記粒状ホットメルト接着層を介して１まとめに捻回されて接着、固定されることを特徴とする。
【００１２】
また、本発明の請求項４に記載の発明は、請求項１に記載の発明において、宝石、人造宝石、ビーズ、貴金属ボール、及び金属ボールから選ばれる粒状装飾体を連結手段により複数列に配列して相互に連結した装飾帯状体を長さ方向に移動する工程と、移動する装飾帯状体の裏面側に粒状ホットメルト接着剤を塗布する工程と、その後所望複数列の前記装飾帯状体を外周側に露呈するように捻回する工程と、加熱手段により前記粒状ホットメルト接着剤を加熱、融解することにより該粒状ホットメルト接着剤を介して前記装飾帯状体を１まとめに接着、固定して捻回状態に棒状に保形することを特徴とする。
【００１３】
また、本発明の請求項５に記載の発明は、請求項４において、前記加熱手段が、ドライヤー、またはヒーターであることを特徴とする。
【発明の効果】
【００１４】
本発明は、捻回して１まとめにされる粒状装飾体よりなる複数列の装飾帯状体に何らの強い外力が働いた場合に、装飾帯状体が分離することなく、捻回状態を維持して構造堅牢に保形性を発揮し、以て粒状装飾体が統一性のある多重連構造の豪華な装飾性を確実に発揮し、また、短時間に手間がかからずに製作および組付が容易であり、生産効率が高く、しかも、粒状装飾体が貴金属や金属以外の宝石、人造宝石、ビーズ等の非金属により形成される場合にも製作および組付が行え、適用範囲が広く、また、製品の出来上がり太さは、比較的細いものから太いものまで製作が可能であり、重量は軽量になり、さらには製作コストが安価になる。
【発明を実施するための最良の形態】
【００１５】
本発明の最良の実施形態を図面を参照して説明する。
【００１６】
図１は本発明の装飾用棒状体の実施形態１を示す斜視図、図２は同じく装飾用棒状体の拡大正面図、図３は同じく粒状装飾体を連結手段により連結した本実施形態１を構成する装飾用帯状体の拡大平面図、図４は同じく本実施形態１を構成する装飾用帯状体を示す拡大裏面図、図５は同じく装飾用帯状体を捻回する状態を示す平面図、図６は同じく本実施形態１の装飾用帯状体を形成する連結手段を示す拡大斜視図、図７は同じく本実施形態１の装飾用帯状体を捻回して粒状ホットメルト接着剤により接着した状態の拡大断面図である。
【００１７】
本実施形態１の装飾用棒状体は、宝石、人造宝石２Ａ、ビーズ、貴金属ボール、及び金属ボールから選ばれる多数の粒状装飾体２と、該粒状装飾体２を複数列に配列して相互に連結する連結手段３と、前記粒状装飾体２に対応するように該連結手段３の裏面にそれぞれ設けられた多数の粒状ホットメルト接着剤４とからなる装飾帯状体１で構成され、前記装飾帯状体１が外周側に粒状装飾体２を露呈するように捲回された状態で前記粒状ホットメルト接着剤４によって接着、固定されていることを特徴とする。
【００１８】
図示する実施形態１では連結手段３により連結される装飾帯状体１の各列の前記粒状装飾体２は、全てが略同径の大きさであり、そして白、乳白色、赤、緑、青、黄色、橙等の単一色により形成されたものを用いているが、例えば各列毎に大きさを異にするものを使用したり、各列毎、さらには同列において配列順に異なる色のものを使用ことによりデザイン的に変化させてもよい。
【００１９】
また、前記宝石としては、例えばダイアモンド、エメラルド、サファイア、ルビー、オパール、翡翠、アメジィスト、水晶、トルマリン、オニキス、サンゴ、真珠等が挙げられる。また前記貴金属ボールとしては、例えば金、金合金、白金、白金合金、銀等により形成されるものがある。また、金属ボールとしては、例えば鉄、ステンレス、銅、アルミニウム、亜鉛等により形成されるものがある。
【００２０】
そして、本実施形態１では、所望複数列、例えば２列の前記装飾帯状体１が、長さ方向Ｎに前記粒状装飾体２が外周側に露呈するように捻回されることにより,該装飾帯状体１は裏面に塗布した粒状ホットメルト接着剤４を介して１まとめに接着、固定して捻回状態に棒状に保形される。
【００２１】
この際、本実施形態１おいて、１まとめに接着、固定される装飾帯状体１において、所望本数とは、２列〜８列が最適であるが、これに限定されるものではなく、それ以上に配列数を増大させてもよい。
【００２２】
また、前記連結手段３が、本実施形態１では図４,図６、図７に示すように前記粒状装飾体２としての人造宝石２Ａを表面側に取付ける断面略半球状の取付部５Ａの上側に平面略十字状に４個のループ腕部５Ｂ,５Ｃ,５Ｄ,５Ｅを設けた取付金具５と、前記ループ腕部５Ｂ,５Ｃ,５Ｄ,５Ｅ内に挿通されることにより前記取付金具５に取付けた粒状装飾体２を裏面側において平面的に１まとめに束ねる有端の連結環６とにより形成される。そして、本実施形態１では、この連結手段３により前記粒状装飾体２を平面所望複数列、前述のように実施形態１では幅方向Ｗに２列、また長さ方向Ｎには所望長さの装飾帯状体１に連結する。そして、人造宝石２Ａを、取付金具５の表面側に取付けるのには、例えば接着剤Ｓにより接着される（図７参照）。
【００２３】
また、前記連結環６は、図示では円環に形成されるが、その外形状は図示するものに限らず、図には示さないが、例えば三角形、四角形、五角形、六角形等、自由に設定され、有端環状であればよい。
【００２４】
そして、例えば連結手段３としての取付金具５に粒状装飾体２を取付けた所望複数列、例えば２列の装飾帯状体１を捻回するのには、例えば図４に示すように、装飾帯状体１を長さ方向Ｎに移動しながら、その装飾帯状体１の裏面に順次前記粒状ホットメルト接着剤４を塗布する。
【００２５】
前記粒状ホットメルト接着剤４は、例えばポリアミド樹脂系接着剤があるが、このほか、例えばＡＢＳ樹脂やＳＡＮ樹脂の如き共重合体、ポリアセタール類、ポリカーボネート類、ポリエステル類等、熱の供給により可逆的に軟化する何れの合成樹脂接着材料でもよい。
【００２６】
そして、この粒状ホットメルト接着剤４を所望複数列の装飾帯状体１の粒状装飾体２の裏面に対応して塗布するのには、例えばノズルからホットメルト接着剤を吐出して供給されることにより粒状装飾体２の裏面に塗布しても良いし、図には示さないローラを用いて粒状装飾体２の裏面に粒状ホットメルト接着剤４を塗布してもよい。また、この粒状ホットメルト接着剤４の装飾帯状体１に対する塗布個所は、例えば図４、図６、図７に示すように、粒状装飾体２を取付けるべき取付金具５の裏面に塗布されるのが好適である。また、粒状ホットメルト接着剤４の塗布量は、粒状装飾体２が取付けられる取付金具５の大きさ、装飾帯状体１が撚り合わされる粒状装飾体２の設置個数、粒状ホットメルト接着剤４自体の溶融温度、装飾帯状体１の移動速度等を考慮して決定され、最適量が選択される。
【００２７】
そして、この粒状ホットメルト接着剤４は、例えば図４に示すように所望複数列の装飾帯状体１の裏面に塗布されてから、この装飾帯状体１を長さ方向Ｎに捻回し、その後段においてドライヤー、ヒーター等の図には示さない加熱手段により加熱、溶融される。それから、冷却されることにより所望複数列の装飾帯状体１は、捻回されて１まとめに接着、固定されて捻回状態に保形される。なお、装飾帯状体１の粒状ホットメルト接着剤４による接着に対応する捻回方向は右周り、または左周りの何れの方向であってもよい。
【００２８】
また、取付金具５の取付部５Ａに粒状装飾体２としての人造宝石２Ａを接着するための前記接着剤Ｓは、例えばフェノプラスト、アミノプラスト、エポキシ樹脂、アクリル樹脂、アルキド樹脂、不飽和ポリエステル樹脂等の熱安定性に優れたものが好適にあげられる。
【００２９】
本発明の装飾用棒状体の実施形態１は以上の構成からなり、例えば人造宝石２Ａよりなる粒状装飾体２を連結手段３により連結された所望複数列、本実施形態１では、例えば図４、図５に示すような２列の粒状装飾体２,２・・・２; ２,２・・・２よりなる装飾帯状体１を粒状ホットメルト接着剤4を介して装飾帯状体１を粒状装飾体２,２・・・２; ２,２・・・２が外周側に露呈するように１まとめに接着、固定して捻回状態に棒状に保形するので、装飾体としての人造宝石２Ａにより多重連構造の統一性のある豪華な装飾性が確実に発揮することができる。
【００３０】
この際、本実施形態１では、連結手段３としての取付金具５は断面略半球状の取付部５Ａに形成されているので、この取付部５Ａの内形状に粒状装飾体２の取付個所の外形状が適合し、例えばフェノプラスト、アミノプラスト、エポキシ樹脂、アクリル樹脂、アルキド樹脂、不飽和ポリエステル樹脂等のホットメルト時の加熱に影響されない熱安定性に優れた接着剤Ｓにより粒状装飾体２を取付部５Ａに容易かつ確実に、しかも、高取付精度により取付けることができる。また、取付金具５の取付部５Ａには、本実施形態１では、粒状装飾体２として人造宝石２Ａを用いた場合につき説明しているが、これは代表的な例示であり、粒状装飾体２が例えば貴金属や金属で形成される場合であろうと、または宝石、ビーズ等の非金属材料により形成される場合でもよく、これらの粒状装飾体２を接着剤Ｓにより容易かつ確実に取付けを行うことができる。
【００３１】
そして、粒状装飾体２が宝石である場合には、例えば、ダイアモンド、エメラルド、サファイア、ルビー、オパール、翡翠、アメジィスト、水晶、トルマリン、オニキス、サンゴ、真珠等の宝石が挙げられる。また、貴金属ボールとしては、例えば金、金合金、白金、白金合金、銀等により形成されるものがある。さらには金属ボールとしては、例えば鉄、ステンレス、銅、アルミニウム、亜鉛等により形成されたものがあげられ、粒状装飾体２の適用範囲は広範囲になる。そして、粒状装飾体２に何を使用するかは、使用者の好みと、予算に応じたものを製作し、使用者は容易に購入することができる。
【００３２】
そして、本実施形態１では、連結手段３が、図４、図６、図７に示すように、取付金具５の前記取付部５Ａの上側に平面略十字状に４個のループ腕部５Ｂ,５Ｃ,５Ｄ,５Ｅを設けているので、このループ腕部５Ｂ,５Ｃ,５Ｄ,５Ｅ内に有端の連結環６を挿通することにより、前述のように取付金具５に取付けられた粒状装飾体２の複数個、本実施形態１では図示するように取付金具５に取付けられた４個の粒状装飾体２を１つの連結環６にて平面的に１まとめに束ねることができる（図４参照）。従って、粒状装飾体２を取付部５Ａに取付けた取付金具５の前記取付部５Ａの上側に設けた平面略十字状のループ腕部５Ｂ,５Ｃ,５Ｄ,５Ｅの何れかに連結環６を挿通し、隣接する取付金具５相互を連結環６を介して表面側に縦横に粒状装飾体２を連結して行けば粒状装飾体２を平面所望複数列、本実施形態１では図３、図４、図５に示すように２列の装飾帯状体１を所望長さに容易かつ確実に連結することができる。
【００３３】
この時、本実施形態１の連結手段３は、前述のように粒状装飾体２を取付部５Ａに取付けた取付金具５は、取付部５Ａの上面に平面略十字状に４個のループ腕部５Ｂ,５Ｃ,５Ｄ,５Ｅを設け、しかもこのループ腕部５Ｂ,５Ｃ,５Ｄ,５Ｅ内に挿通される連結環６は有端の環状であるので、所望複数列の装飾帯状体１を長さ方向Ｎに捻回した場合に、連結環６を中心として簡便な取扱操作により周囲への取付方向、取付角度につき自由度をもって数個の取付金具５,５・・・を取付けることができる。従って、装飾帯状体１を長さ方向Ｎに捻回することにより粒状ホットメルト接着剤４により裏面側を接着、固定した場合に、捻回された各列の粒状装飾体２,２・・・２;２,２・・・２は軸周りに放射方向へ同一向きに配列され、不揃いは生じない。このため、粒状装飾体２,２・・・２;２,２・・・２は高輝度を発揮し、装飾性は優れたものになる。
【００３４】
このようにして、粒状装飾体２を取付部５Ａに取付けた複数個の取付金具５を連結環６にて連結することにより形成される状態で所望複数列の前記装飾帯状体１を、例えば図には示さない供給ドラムから連続して供給し、また、この装飾帯状体１の移動方向Ｘの終段では捲取ドラムにより捲取り可能に捲回されるようにして装飾帯状体１を長さ方向Ｎにテンションをかけながら移動する。そして、この移動する装飾帯状体１の裏面に粒状ホットメルト接着剤４を塗布し、その後に、前述の所望複数列の装飾帯状体１を長さ方向Ｎに捻回し、さらに、前記粒状ホットメルト接着剤４を加熱、溶融することにより該粒状ホットメルト接着剤４を介して装飾帯状体１を１まとめに接着、固定するという工程を一貫して自動的に行えば、製造ラインにおいて本実施形態１の装飾用棒状体を自動生産することができる。
【００３５】
こうして形成される本実施形態１の装飾用棒状体は、例えばネックレス、ブレスレッド、髪飾り等の装身具、また、ハンドバッグの把手、ベルト等の身回品、さらにはキャミソールや女性用下着のストラップとして最適に使用されて適用範囲は広範になる。
【００３６】
そして、本実施形態１の装飾用棒状体は、２列の装飾帯状体１を粒状ホットメルト接着剤４を介して装飾帯状体１を１まとめに接着、固定して捻回状態に保形されるので、複数列の装飾帯状体１に何らの強い外力が働いた場合に、粒状装飾体２に、ビニールを通し糸に浸透させた被覆糸を装飾体に挿通して数本の連珠を撚合わすことにより被覆糸を強撚させてビニールの復元性による引締力により連珠を撚縄状の形態に保持させようとする特許文献１に記載の装飾用数珠飾りとは異なり、１まとめにした装飾帯状体１がばらばらに分離することなく、捻回状態を維持して構造堅牢に保形性が発揮されるため、優れた装飾性が発揮される。
【００３７】
しかも、本実施形態１の装飾帯状体は、２列の粒状装飾体２,２・・・２;２,２・・・２を粒状ホットメルト接着剤4を介して装飾帯状体１として１まとめに接着、固定して捻回状態に保形されるので、例えばアメジスト、水晶、トルマリン、オニキス等の宝石の原石を糸で数珠繋ぎをしたり、金合金、プラチナ合金、白金、銀等の貴金属の塊を数珠繋ぎにしたり、紐状に形成される内容物の外周に貴金属製ボールチェーンよりなる貴金属製ネットのネット状の帯体を外周長さ方向に捲回するという特許文献２に記載の装身具とは異なり、ネックレスやブレスレッドの装身具の出来上がりの太さを細くでき、重量は軽量化される。そのうえ、作業工程が簡略化されるため、製作が容易になり、生産効率が低く、製作コストは安価になる。
【００３８】
そして、本実施形態１では、前述のように平面所望複数列の装飾帯状体１を用いて粒状ホットメルト接着剤４を介して装飾帯状体１を１まとめに接着、固定して捻回状態に保形された装飾用棒状体を形成するものなので、短時間に多くの手間がかからずに製作および組付が容易であり、生産効率が高く、製作コストが安価になる。
【００３９】
図８は本発明の装飾用棒状体の実施形態２を示し、この実施形態２では装飾帯状体１が、線状またはリボン状の補強部材２０を中心に粒状ホットメルト接着剤４を介して１まとめに捻回されて接着、固定されることにより、補強部材２０が粒状ホットメルト接着剤４内に埋め込まれて接着、固定されるので、連結手段３のみで粒状装飾体２が連結された前記実施形態１とは異なり装飾帯状体１が引っ張り、捻回等の外力に対して切断されるのを防止して構造堅牢にするようにした点が前記実施形態１とは異なる構成、作用であるほかは前記実施形態１と同様の構成、作用である。
【００４０】
また、上述の説明では、何れかの連結手段３により幅方向Ｗに粒状装飾体２が連結された装飾帯状体１は、２列に粒状装飾体２を連結するものを代表的に説明をしたが、これは代表的な例示であり、粒状装飾体２の設置個数の増減変更は自由に行える。
【００４１】
また、図示する上記実施形態１では、連結手段３により連結される装飾帯状体１の各列の粒状装飾体２は、全てが略同径の大きさのものを示し、単一色により形成されたものを用いているが、図には示さないが例えば各列毎に粒状装飾体２の大きさを異にするものを使用したり、各列毎に異なる色の粒状装飾体２を使用したり、さらには各列毎に、同列において配列順に異なる色のものを配列するほか、これらの組み合わせ使用をすることによりデザイン的に変化させることができる。
【００４２】
また、上記実施形態１で示される連結金具３は、図示では取付金具５の取付部５Ａの上側に設けた４個のループ腕部５Ｂ,５Ｃ,５Ｄ,５Ｅは平面略十字状に形成されたものを使用するようにしているが、これに限ることなく例えば３個のループ腕部を平面Ｙ字状に交叉する等、ループ腕部の設置個数の増減変更は自由に行える。そして、連結環６に対する取付金具５の取付個数を加減して粒状装飾体２の設置個数を調整することは容易である。
【産業上の利用可能性】
【００４３】
本発明は、捻回して１まとめにされる粒状装飾体よりなる複数列の装飾用帯状体に何らの強い外力が働いた場合に、装飾用帯状体が分離することなく、捻回状態を維持して構造堅牢に保形性を発揮し、以て粒状装飾体は統一性のある多重連構造の豪華な装飾性を確実に発揮し、また、短時間に多くの手間がかからずに製作および組付が容易であり、生産効率が高く、しかも、粒状装飾体が貴金属や金属以外の宝石、人造宝石、ビーズ等の非金属により形成する場合にも製作および組付が行え、適用範囲が広く、また、製品の出来上がり太さは、比較的細いものから太いものまで製作が可能であり、重量は軽量になり、さらには製作コストが安価になるという用途・機能に適する。
【図面の簡単な説明】
【００４４】
【図１】図１は本発明の装飾用棒状体の実施形態１を示す斜視図である。
【図２】図２は同じく装飾用棒状体の拡大正面図である。
【図３】図３は同じく粒状装飾体を連結手段により連結した本実施形態１を構成する装飾用帯状体の拡大平面図である。
【図４】図４は同じく本実施形態１を構成する装飾用帯状体を示す拡大裏面図である。
【図５】図５は同じく装飾用帯状体を捻回する状態を示す平面図である。
【図６】図６は同じく本実施形態１の装飾用帯状体を形成する連結手段を示す拡大斜視図である。
【図７】図７は同じく本実施形態１の装飾用帯状体を捻回して粒状ホットメルト接着剤により接着した状態の拡大断面図である。
【図８】図８は本発明の装飾用棒状体の実施形態２を示し、装飾用帯状体を捻回して粒状ホットメルト接着剤により接着した状態の拡大断面図である。
【符号の説明】
【００４５】
１      装飾用帯状体
２      粒状装飾体
２Ａ    人造宝石
３      連結手段
４      粒状ホットメルト接着剤
５      取付金具
５Ａ    取付部
５Ｂ    ループ腕部
５Ｃ    ループ腕部
５Ｄ    ループ腕部
５Ｅ    ループ腕部
６      連結環
Ｎ      長さ方向
【図１】
2006181151.tif 000003
【図２】
2006181151.tif 000004
【図３】
2006181151.tif 000005
【図４】
2006181151.tif 000006
【図５】
2006181151.tif 000007
【図６】
2006181151.tif 000008
【図７】
2006181151.tif 000009
【図８】
2006181151.tif 000010